(57)【要約】      （修正有）【課題】工具を使用せず精確に微調整するレーザー照準装置の調整構造を提供する。【解決手段】固定裝置３の側部には、第１当接部１３に対応する第１操作装置４と、第１操作装置を後ろにした側部には、第２当接部１６に対応する第２操作装置５が設けられ、使用時は、第１操作装置或いは第２操作装置を操作するだけで、第１弾性位置決め装置６と、第１操作装置の第１ストッパー部と第２操作装置の第２ストッパー部５３を組み合わせることにより、または第２弾性位置決め装置７と、第１操作装置の第１位置合わせ部と第２操作装置の第２位置合わせ部５２を組み合わせることにより、多段階で微調整する進歩性を達成する。同時に、第１操作装置の第１間隔調整部或いは第２操作装置の第２間隔調整部５１は、レーザー装置１と協同して連動することで、工具なしに精確に微調整する。【選択図】図２
0003216469.tif 000002
【実用新案登録請求の範囲】
【請求項１】
レーザー装置と、収容部品と、少なくとも１つの固定裝置と、少なくとも１つの第１操作装置と、少なくとも１つの第２操作装置と、少なくとも１つの第１弾性位置決め装置と、少なくとも１つの第２弾性位置決め装置と、からなるレーザー照準装置の調整構造であって、
前記レーザー装置の一端の側部には少なくとも１つの第１当接部が形成されるとともに、相対する側部には少なくとも１つの第１弾性部品が形成され、前記レーザー装置における前記第１当接部を後ろにした一端は、一側部に少なくとも１つの第２当接部が形成されるとともに、相対する側部に少なくとも１つの第２弾性部品が形成され、
前記収容部品には、前記レーザー装置が可動設置され、
前記固定裝置は、前記収容部品を嵌合するとともに、前記固定裝置上には前記収容部品を固定する少なくとも１つの固定部が形成され、
前記第１操作装置は、前記固定裝置の一側部に設けられ、前記第１当接部の位置に対応し、前記第１操作装置上には第１間隔調整部が形成され、前記第１間隔調整部の内側壁と前記第１操作装置の中心点の距離は、円周方向に沿って徐々に広がる状態を示すとともに、前記第１間隔調整部と前記レーザー装置は協同して作動し、前記第１操作装置における前記固定裝置と隣り合う側部には複数の取り囲むように設けられる第１位置合わせ部と、前記第１位置合わせ部の側部に取り囲むように設けられる複数の第１ストッパー部が形成され、各前記第１位置合わせ部と各前記第１ストッパー部の設置角度は、互いに交差し、
前記第２操作装置は、前記固定裝置における前記第１操作装置を後ろにした側部に設けられるとともに、前記第２当接部の位置に対応し、前記第２操作装置上には第２間隔調整部が形成され、前記第２間隔調整部の内側壁と第２操作装置の中心点の距離は、円周方向に沿って徐々に広がる状態を示すとともに、前記第２間隔調整部と前記レーザー装置は協同して作動し、前記第２操作装置における前記固定裝置と隣り合う側部には、取り囲むように設けられる複数の第２位置合わせ部と、前記第２位置合わせ部側部に取り囲むように設けられる複数の第２ストッパー部が形成され、各前記第２位置合わせ部と各前記第２ストッパー部の設置角度は、互いに交差し、
前記第１弾性位置決め装置は、前記固定裝置上に設けられるとともに、一端と各前記第１ストッパー部の位置は対応し、他端と各前記第２ストッパー部の位置は対応し、
前記第２弾性位置決め装置は、前記固定裝置上に設けられるとともに、前記第１弾性位置決め装置の一側部に位置し、前記第２弾性位置決め装置の一端と各前記第１位置合わせ部の位置は対応し、他端と各前記第２位置合わせ部の位置は対応することを特徴とする、レーザー照準装置の調整構造。
【請求項２】
前記レーザー装置は、レーザー発生装置と、前記レーザー発生装置を嵌合する少なくとも１つのシールド筺体を備えることを特徴とする、請求項１に記載のレーザー照準装置の調整構造。
【請求項３】
前記第１当接部と前記第２当接部の角度の位置は、互いに垂直でずれていることを特徴とする、請求項１に記載のレーザー照準装置の調整構造。
【請求項４】
前記第１弾性位置決め装置は、少なくとも１つの第１位置決め弾性部品と、前記第１位置決め弾性部品の一端に設けられるとともに前記第１ストッパー部の位置に対応する第１ストッパー部品と、前記第１位置決め弾性部品の他端に設けられるとともに前記第２ストッパー部の位置に対応する第２ストッパー部品を備え、さらに前記第２弾性位置決め装置は、少なくとも１つの第２位置決め弾性部品と、前記第２位置決め弾性部品の一端に設けられるとともに前記第１位置合わせ部の位置に対応する第１位置合わせ部品と、前記第２位置決め弾性部品の他端に設けられるとともに前記第２位置合わせ部の位置に対応する第２位置合わせ部品を備えることを特徴とする、請求項１に記載のレーザー照準装置の調整構造。
【請求項５】
前記収容部品上には前記第１当接部、または前記第２当接部のうちの１つが穿設する少なくとも１つの通路部が形成され、前記第１当接部上には第１当接曲面が形成されるとともに、前記第２当接部上には第２当接曲面が形成されることを特徴とする、請求項１に記載のレーザー照準装置の調整構造。
【請求項６】
前記収容部品上には前記固定部の形状に対応する少なくとも１つの制限部が形成される
ことを特徴とする、請求項１に記載のレーザー照準装置の調整構造。
【請求項７】
前記固定部上に少なくとも１つの固定部品が穿設されるとともに、前記収容部品上には前記固定部品の形状に対応する少なくとも１つの制限部が形成されることを特徴とする、請求項１に記載のレーザー照準装置の調整構造。
【請求項８】
前記第１操作装置上には少なくとも１つの第１滑り止め部が形成されるとともに、前記第２操作装置上には少なくとも１つの第２滑り止め部が形成されることを特徴とする、請求項１に記載のレーザー照準装置の調整構造。
【請求項９】
前記レーザー装置上には前記第１弾性部品の位置に対応する少なくとも１つの第１支柱部と、前記第２弾性部品の位置に対応する少なくとも１つの第２支柱部が形成されることを特徴とする、請求項１に記載のレーザー照準装置の調整構造。
【請求項１０】
前記第１操作装置における前記固定裝置を後ろにした側部には、少なくとも１つの蓋体が設けられ、前記蓋体と前記収容部品は連結して設置されるとともに、前記蓋体上には前記レーザー装置の位置に対応する射出口が形成されることを特徴とする、請求項１に記載のレーザー照準装置の調整構造。
【考案の詳細な説明】
【技術分野】
【０００１】
本考案は、工具なしに調整するとともに精確に微調整するレーザー照準装置の調整構造に関する。
【背景技術】
【０００２】
従来の赤外線照準装置は、筺体と、筺体内に設けられる赤外線発射装置と、筺体上方に穿設されるとともに赤外線発射装置に抵触する上調整ねじと、赤外線発射装置の下方と筺体の間に設けられるばねと、筺体左方に穿設されるとともに赤外線発射装置に抵触する左調整ねじと、筺体右方に穿設されるとともに赤外線発射装置に抵触する右調整ねじと、からなり、調整したい場合には、使用者が六角レンチ等の手仕事の工具を手にして、上調整ねじ、左調整ねじ、または右調整ねじを調整し、赤外線発射装置を押動することでゼロ点補正の目的が達成される。しかしながら、手仕事の工具を持っていてはじめて調整することができるため使用上比較的面倒であるとともに、調整時、感覚に頼って大まかに調整するしかないため精度が比較的低くなる上、時間がかかってしまう。
【考案の概要】
【考案が解決しようとする課題】
【０００３】
本考案は、工具なしに調整することができ、調整をさらに精確にするレーザー照準装置の調整構造を提供することを目的とする。
【課題を解決するための手段】
【０００４】
上述の目的を達成するため、本考案はレーザー装置からなり、レーザー装置の一端の側部には第１当接部が形成され、相対する側部には第１弾性部品が形成されるとともに、レーザー装置における第１当接部を後ろにした端部の側部には、第２当接部が形成される。さらに、相対する側部には第２弾性部品が形成され、レーザー装置は、収容部品内に可動設置されるとともに、収容部品上には固定裝置が設けられ、固定裝置上には収容部品を固定する固定部が形成される。
【０００５】
固定裝置の側部には、第１当接部の位置に対応する第１操作装置が設けられ、第１操作装置上にはレーザー装置に合わせて作動する第１間隔調整部が形成されるとともに、第１間隔調整部の内側壁と第１操作装置における中心点の距離は、円周方向に沿って徐々に広がる状態を示す。第１操作装置における固定裝置と隣り合う側部には取り囲むように設けられる複数の第１位置合わせ部と、第１位置合わせ部の側部に取り囲むように設けられる複数の第１ストッパー部が形成されるとともに、各第１位置合わせ部と各第１ストッパー部の設置角度は、互いに交差する。
【０００６】
固定裝置における第１操作装置を後ろにした側部には、第２当接部の位置に対応する第２操作装置が設けられ、第２操作装置上にはレーザー装置と協同して作動する第２間隔調整部が形成されるとともに、第２間隔調整部の内側壁と第２操作装置の中心点の距離は、円周方向に沿って徐々に広がる状態を示す。第２操作装置における固定裝置と隣り合う側部には取り囲むように設けられる複数の第２位置合わせ部と、第２位置合わせ部の側部に取り囲むように設けられる複数の第２ストッパー部が形成され、各第２位置合わせ部と各第２ストッパー部の設置角度は、互いに交差する。
【０００７】
固定裝置には第１弾性位置決め装置及び第１弾性位置決め装置の側部に位置する第２弾性位置決め装置が設けられるとともに、第１弾性位置決め装置の一端と各第２ストッパー部の位置は対応し、第１弾性位置決め装置の他端と各第１ストッパー部の位置は対応し、第２弾性位置決め装置の一端と各第２位置合わせ部の位置は対応し、第２弾性位置決め装置の他端と各第１位置合わせ部の位置は対応する。
【考案の効果】
【０００８】
本考案を使用する際、使用者は第１操作装置を回すだけでいいため、工具なしに調整することができる上、回転に伴い各第１ストッパー部と第１弾性位置決め装置を順番に合わせて固定する、或いは第１位置合わせ部と第２弾性位置決め装置を合わせて固定することにより、さらに精確に調整する目的が達成される。同時に、第１弾性部品が第１当接部を押すことによって、第１間隔調整部における円周方向に沿って徐々に広がる状態を示す内側壁と接触し、第１操作装置を回転させることでレーザー装置が連動して揺れ動き、これによりレーザー装置を調整する機能が生じる。
【０００９】
使用者は、第２操作装置を回すことによっても調整することができるため、工具なしに調整することができるとともに、回転に伴い各第２ストッパー部と第１弾性位置決め装置を順番に合わせて固定する、或いは第２位置合わせ部と第２弾性位置決め装置を合わせて固定することにより、さらに精確に調整する目的が達成される。同時に、第２弾性部品が第２当接部を押すことによって、第２間隔調整部における円周方向に沿って徐々に広がる状態を示す内側壁と接触し、第２操作装置を回転させることでレーザー装置が連動して揺れ動き、これによりレーザー装置を調整する機能が生じる。
【図面の簡単な説明】
【００１０】
【図１】本考案の斜視図である。
【図２】本考案の分解図である。
【図２Ａ】本考案の第２操作装置を示した図である。
【図３】本考案の別の角度による斜視図である。
【図４】本考案の別の角度による分解図である。
【図４Ａ】本考案の第１操作装置を示した図である。
【図５】本考案の使用図である。
【図６】本考案における左右に調整した図（一）である。
【図６Ａ】本考案における左右に調整した図（二）である。
【図７】本考案における左右に微調整した図（一）である。
【図７Ａ】本考案における左右に微調整した図（二）である。
【図８】本考案における上下に調整した図（一）である。
【図８Ａ】本考案における上下に調整した図（二）である。
【図９】本考案における上下に微調整した図（一）である。
【図９Ａ】本考案における上下に微調整した図（二）である。
【考案を実施するための形態】
【００１１】
参照する図１から図４Ａから分かる通り、本考案は主にレーザー装置１と、収容部品２と、少なくとも１つの固定裝置３と、少なくとも１つの第１操作装置４と、少なくとも１つの第２操作装置５と、少なくとも１つの第１弾性位置決め装置６と、少なくとも１つの第２弾性位置決め装置７と、からなり、レーザー装置１は、レーザー光線を発するレーザー発生装置１１と、レーザー発生装置１１に嵌合される少なくとも１つのシールド筺体１２を備える。本実施例においてシールド筺体１２は、レーザー発生装置１１を収納する複数の収納筺体１２１及び各収納筺体１２１と合わせて設置されレーザー発生装置１１を固定する複数の結合筺体１２２を備えるものとする。シールド筺体１２の一端の側部には少なくとも１つの第１当接部１３が形成され、相対する側部には少なくとも１つの第１弾性部品１４と、第１弾性部品１４の位置に対応する少なくとも１つの第１支柱部１５が形成されるとともに、第１当接部１３上には第１当接曲面１３１が形成されることでスライド調整される。シールド筺体１２における第１当接部１３を後ろにした一端は、一側に少なくとも１つの第２当接部１６を形成し、相対する側部に少なくとも１つの第２弾性部品１７と、第２弾性部品１７の位置に対応する少なくとも１つの第２支柱部１８が形成されるとともに、第２当接部１６上には第２当接曲面１６１が形成されることによりスライド調整される。本実施例において第１当接部１３と第２当接部１６の角度の位置は互いに垂直でずれているとともに、第１当接部１３は垂直に設置され、第２当接部１６は水平に設置されているものとして説明する。
【００１２】
収容部品２には、レーザー装置１が可動設置され、収容部品２上には第１当接部１３または第２当接部１６のうちの１つが穿設する少なくとも１つの通路部２１が形成される。本実施例では、複数の通路部２１であるものとして説明する。固定裝置３は収容部品２を嵌合し、固定裝置３上には収容部品２を固定する少なくとも１つの固定部３１が形成されるとともに、収容部品上には少なくとも１つの制限部２２が形成される。本実施例では、固定部３１及び制限部２２は複数であるものとして説明する。例えば、収容部品２上には第１固定部３１１（例えば溝等）の形状に対応する少なくとも１つの第１制限部２２１（例えば凸リブ等）が形成される。第２固定部３１２（例えばねじ穴等）上には少なくとも１つの固定部品３２（例えばねじ等）が穿設されるとともに、収容部品２上には固定部品３２の形状に対応する少なくとも１つの第２制限部２２２（例えば溝等）が形成される。
【００１３】
第１操作装置４は固定裝置３の一側に設けられ、第１当接部１３の位置に対応するとともに、第１操作装置４上には少なくとも１つの第１滑り止め部４４が形成される。第１操作装置４上には第１間隔調整部４１が形成され、第１間隔調整部４１の内側壁と第１操作装置４の中心点の距離は、円周方向に沿って徐々に広がる状態を示すとともに、第１間隔調整部４１はレーザー装置１に合わせて作動する。すなわち、第１当接曲面１３１は第１間隔調整部４１の内側壁に抵触するとともに、第１弾性部品１４（例えばばね等）が収容部品２の内側壁に抵触することでレーザー装置１を動かす目的が達成される。本実施例では第１操作装置４がレーザー装置１を上下に動かして調整するものとして説明する。
【００１４】
第１操作装置４における固定裝置３と隣り合う側部には取り囲むように設けられる複数の第１位置合わせ部４２と、第１位置合わせ部４２の側部に取り囲むように設けられる複数の第１ストッパー部４３が形成され、各第１位置合わせ部４２と各第１ストッパー部４３の設置角度は互いに交差する。例えば、図４Ａに表記された２つの第１位置合わせ部４２と第１操作装置４の中心点は、約９度の夾角θ３を形成し、図４Ａに表記される第１ストッパー部４３は夾角θ３の間に位置するとともに、第１ストッパー部４３と、第１位置合わせ部４２と第１操作装置４の中心点は約４．５度の夾角θ４を形成する。これにより限られた体積（空間）において調整できる段階を増やすことができる。
【００１５】
第２操作装置５は、固定裝置３における第１操作装置４を後ろにした側部に設けられ、第２当接部１６の位置に対応するとともに、第２操作装置５上には少なくとも１つの第２滑り止め部５４が形成される。第２操作装置５上には第２間隔調整部５１が形成され、第２間隔調整部５１の内側壁と第２操作装置５の中心点の距離は、円周方向に沿って徐々に広がる状態を示すとともに、第２間隔調整部５１とレーザー装置１は協同して作動する。つまり、第２当接曲面１６１は、第２間隔調整部５１の内側壁に抵触するとともに、第２弾性部品１７（例えばばね等）が収容部品２の内側壁に抵触することによりレーザー装置１を動かす目的が達成される。本実施例では、第２操作装置５はレーザー装置１を左右に動かして調整するものとして説明する。
【００１６】
第２操作装置５における固定裝置３と隣り合う側部には、複数の取り囲むように設けられる第２位置合わせ部５２と、第２位置合わせ部５２の側部に取り囲むように設けられる複数の第２ストッパー部５３が形成されるとともに、各第２位置合わせ部５２と各第２ストッパー部５３の設置角度は、互いに交差する。例えば、図２Ａに表記される２つの第２位置合わせ部５２と第２操作装置５の中心点は、約９度の夾角θ１を形成し、図２Ａに表記される第２ストッパー部５３は、夾角θ１の間に位置するとともに、第２ストッパー部５３と、第２位置合わせ部５２と第２操作装置５の中心点は、約４．５度の夾角θ２を形成する。これにより、限られた体積（空間）において調整できる段階を増やすことができる。
【００１７】
固定裝置３上には第１弾性位置決め装置６を収容する少なくとも１つの第１収容空間３３と、第１収容空間３３の側部に位置し、第２弾性位置決め装置７を収容する少なくとも１つの第２収容空間３４が形成される。本実施例では、第１位置決め弾性部品６１及び第２位置決め弾性部品７１は、ばねであるものとして説明する。
第１弾性位置決め装置６は、少なくとも１つの第１位置決め弾性部品６１と、第１位置決め弾性部品６１の一端に設けられるとともに、第１ストッパー部４３の位置に対応する第１ストッパー部品６２と、第１位置決め弾性部品６１の他端に設けられるとともに、第２ストッパー部５３の位置に対応する第２ストッパー部品６３を備える。第２弾性位置決め装置７は、少なくとも１つの第２位置決め弾性部品７１と、第２位置決め弾性部品７１の一端に設けられるとともに、第１位置合わせ部４２の位置に対応する第１位置合わせ部品７２と、第２位置決め弾性部品７１の他端に設けられるとともに、第２位置合わせ部５２の位置に対応する第２位置合わせ部品７３を備える。よって、第１弾性位置決め装置６と第１ストッパー部４３、第２ストッパー部５３、または第２弾性位置決め装置７と第１位置合わせ部４２及び第２位置合わせ部５２のうちのどちらかのみが同時に係合する。
【００１８】
第１操作装置４における固定裝置３を後ろにした側部には、少なくとも１つの蓋体８が設けられ、蓋体８と収容部品２は、連結して設置されるとともに、蓋体８上には、レーザー装置１の位置に対応する射出口８１が形成される。上述は、本考案における実施形態の１つを述べたに過ぎず、本考案の形態はこれに制限されない。
【００１９】
参照する図１から図９Ａ、例えば図５に示す通り、本実施例では、本考案を銃器の銃口部に設置するものとして説明する。使用者は、第１操作装置４の第１滑り止め部４４または第２操作装置５の第２滑り止め部５４に軽く触れ、レーザー装置１を動かすことでレーザー発生装置１１を微調整し修正し、レーザー発生装置１１における蓋体８の射出口８１から射出されるレーザー光がわずかに移動（偏位）するようにすることで、レーザー光と銃器の衝撃点が重なり合うようにする。同時に、収容部品２は、固定裝置３に組み合わせられ、第１制限部２２１と第１固定部３１１は互いに係合し、固定部品３２が第２固定部３１２を通り抜け第２制限部２２２に圧力がかかることによって、固定し、ずれを防止する效果が達成される。
【００２０】
図６から図７Ａに示す通り、レーザー発生装置１１が発するレーザー光線の射出方向を左右に調整したい場合、まず第２操作装置５の第２滑り止め部５４を回す。第２当接部１６は水平に設置されているとともに、第２弾性部品１７は第２支柱部１８に支えられており、シールド筺体１２を押すことで、第２当接部１６の第２当接曲面１６１は、通路部２１を通り抜け、第２間隔調整部５１の内側壁と抵触を保ち、第２滑り止め部５４が動く時、第２間隔調整部５１の内側壁と第２当接曲面１６１が抵触する位置は、その動きに伴って距離が変化し徐々に広がる或いは徐々に狭まるため、レーザー装置１はそれに伴って左方向或いは右方向揺れ動く。同時に、第２操作装置５を動かす過程において、第２弾性位置決め装置７の第２位置決め弾性部品７１が第２収容空間３４内で伸縮変形し、第２位置合わせ部品７３を押して第２位置合わせ部５２と係合する（例えば図７に図示）ことによって、または第１弾性位置決め装置６の第１位置決め弾性部品６１が第１収容空間３３内で伸縮変形し、第２ストッパー部品６３を押して第２ストッパー部５３と係合する（例えば図７Ａに図示）ことによって、多段階で微調整する目的が達成され、工具を使用せずさらに精確かつ簡単に調整することできる。
【００２１】
例えば図８から図９Ａに示す通り、レーザー発生装置１１が発するレーザー光線の射出方向を上下に調整したい場合、まず第１操作装置４の第１滑り止め部４４を回す。第１当接部１３は垂直に設置されており、第１弾性部品１４は第１支柱部１５に支えられており、シールド筺体１２を押すことで、第１当接部１３の第１当接曲面１３１は通路部２１を通り抜け、第１間隔調整部４１の内側壁と抵触を保ち、第１滑り止め部４４が動く時、第１間隔調整部４１の内側壁と第１当接曲面１３１が抵触する位置は、その動きに伴って距離が変化し徐々に広がる或いは徐々に狭まるため、レーザー装置１はそれに伴って上向きに或いは下向きに揺れ動く。第１操作装置４を動かす過程において、第２弾性位置決め装置７の第２位置決め弾性部品７１が第２収容空間３４内で伸縮変形し、第１位置合わせ部品７２を押して第１位置合わせ部４２と係合する（例えば図９に図示）ことによって、または第１弾性位置決め装置６の第１位置決め弾性部品６１が第１収容空間３３内で伸縮変形し、第１ストッパー部品６２を押して第１ストッパー部４３と係合する（例えば図９Ａに図示）ことによって、多段階で微調整する目的が達成され、工具を使用せずさらに精確かつ簡単に調整することできる。
【符号の説明】
【００２２】
１  レーザー装置
１１  レーザー発生装置
１２  シールド筺体
１２１  収納筺体
１２２  結合筺体
１３  第１当接部
１３１  第１当接曲面
１４  第１弾性部品
１５  第１支柱部
１６  第２当接部
１６１  第２当接曲面
１７  第２弾性部品
１８  第２支柱部
２  収容部品    
２１  通路部
２２  制限部
２２１  第１制限部
２２２  第２制限部
３  固定裝置
３１  固定部
３１１  第１固定部
３１２  第２固定部
３２  固定部品
３３  第１収容空間
３４  第２収容空間
４  第１操作装置
４１  第１間隔調整部
４２  第１位置合わせ部
４３  第１ストッパー部
４４  第１滑り止め部
５  第２操作装置
５１  第２間隔調整部
５２  第２位置合わせ部
５３  第２ストッパー部
５４  第２滑り止め部
６  第１弾性位置決め装置
６１  第１位置決め弾性部品
６２  第１ストッパー部品
６３  第２ストッパー部品
７  第２弾性位置決め装置
７１  第２位置決め弾性部品
７２  第１位置合わせ部品
７３  第２位置合わせ部品
８  蓋体
８１  射出口
【図１】
0003216469.tif 000003
【図２】
0003216469.tif 000004
【図２Ａ】
0003216469.tif 000005
【図３】
0003216469.tif 000006
【図４】
0003216469.tif 000007
【図４Ａ】
0003216469.tif 000008
【図５】
0003216469.tif 000009
【図６】
0003216469.tif 000010
【図６Ａ】
0003216469.tif 000011
【図７】
0003216469.tif 000012
【図７Ａ】
0003216469.tif 000013
【図８】
0003216469.tif 000014
【図８Ａ】
0003216469.tif 000015
【図９】
0003216469.tif 000016
【図９Ａ】
0003216469.tif 000017